(57)【特許請求の範囲】
【請求項１】
椅子の座及び背凭れを支持する基体と、
前記基体に対して相対移動可能な椅子の背凭れの少なくとも一部を構成し幅方向に離間させて配置した左右の背フレーム要素を有する背フレームと、
下端部及び上端部をそれぞれ前記基体及び背フレーム要素に連接してなり弾性変形により反力を蓄積可能である左右のバネ部材と
を具備するとともに、
前記バネ部材が前記左右の背フレーム要素に沿ってそれぞれ延伸するフレーム形状をなし、該背フレーム要素の背面側に配されていることを特徴とする部材の接続構造。
【請求項２】
前記背フレームは、側面視後方に延伸し、後端で上方に屈曲した形状をなしており、
前記バネ部材が前記背フレームに沿って延伸している請求項１記載の部材の接続構造。
【請求項３】
前記バネ部材は、樹脂製の弾性体を利用して形成している請求項１又は２記載の部材の接続構造。
【請求項４】
左右１対に設けた前記バネ部材が、前記左右の背フレーム要素の各々を支持する請求項１、２又は３記載の部材の接続構造。
【請求項５】
前記背フレームと前記バネ部材とが少なくとも一部分で離間している請求項１、２、３又は４記載の部材の接続構造。
【請求項６】
前記背フレームと前記バネ部材とを一体に形成している請求項１、２、３、４又は５記載の部材の接続構造。
【請求項７】
前記左右の背フレーム要素を互いに独立して前後動可能としている請求項１、２、３、４、５又は６記載の部材の接続構造。
【発明の詳細な説明】
【技術分野】
【０００１】
本発明は、第１の部材である椅子の基体と、第１の部材に対して相対移動可能な第２の部材である椅子の背フレームとを、弾性変形により反力を蓄積可能であるバネ部材を介して接続する部材の接続構造に関する。
【背景技術】
【０００２】
剛性を有する第１の部材と、前記第１の部材に対して相対移動可能で剛性を有する第２の部材とを、これら第１及び第２の部材の間に配してなり弾性変形により反力を蓄積可能であるバネ部材を介して接続する態様として種々のものが考えられている。例えば、前記第１の部材と前記第２の部材とを端部において互いに枢着するとともに、この枢着部にねじりコイルバネを配する態様が考えられている。（例えば、特許文献１を参照。）
【先行技術文献】
【特許文献】
【０００３】
【特許文献１】特許第２６１６３３２号公報（特に００２０段落を参照。）
【発明の開示】
【発明が解決しようとする課題】
【０００４】
しかして、特許文献１記載の態様では、前記第１及び第２の部材の間に、これらを枢着する枢着軸だけでなくねじりコイルバネを配する必要がある。このようなねじりコイルバネを外部に露出させた場合、ねじりコイルバネと枢着軸との間に物が挟まってこれら第１及び第２の部材間の相対移動がスムーズでなくなる不具合が存在する。一方、このようなねじりコイルバネを被覆するカバーを設けるようにすると、このようなカバーは枢着軸近傍に設ける必要があり、第１及び第２の部材の幅寸法と比較して枢着軸近傍の径が見かけ上大幅に大きくなり、人によっては見た目が悪いと感じられる不具合が発生する。
【０００５】
本発明は、バネ部材を有する椅子の見た目を整えることを所期の目的としている。
【課題を解決するための手段】
【０００６】
すなわち本発明に係る部材の接続構造は、椅子の座及び背凭れを支持する基体と、前記基体に対して相対移動可能な椅子の背凭れの少なくとも一部を構成し幅方向に離間させて配置した左右の背フレーム要素を有する背フレームと、下端部及び上端部をそれぞれ前記基体及び背フレーム要素に連接してなり弾性変形により反力を蓄積可能である左右のバネ部材とを具備するとともに、前記バネ部材が前記左右の背フレーム要素に沿ってそれぞれ延伸するフレーム形状をなし、該背フレーム要素の背面側に配されていることを特徴とする。
【０００７】
このようなものであれば、前記バネ部材と前記基体との接合部、及び前記バネ部材と前記背フレームとの接合部は、単にバネ部材を前記基体又は前記背フレームにネジ等により取り付ける、あるいはバネ部材と前記基体又は前記背フレームとを一体に形成する態様を採用できるので、接合部付近が不自然に大径になることがなく、また、バネ部材を背フレームの一部であるかのように見せかけて、家具の見た目を整えることができる。
【０００８】
このような部材の接続構造を有する構成の例として、以下のようなものが挙げられる。まず、前記背フレームが、側面視後方に延伸し、後端で上方に屈曲した形状をなしており、前記バネ部材が前記背フレームに沿って延伸しているものが挙げられる。
【０００９】
前記バネ部材を、樹脂製の弾性体を利用して形成しているものも挙げられる。
【００１１】
左右１対に設けた前記バネ部材が、前記左右の背フレーム要素の各々を支持するものも挙げられる。
【００１２】
前記背フレームと前記バネ部材とが少なくとも一部分で離間しているものや、前記背フレームと前記バネ部材とを一体に形成しているものも挙げられる。
さらに、前記左右の背フレーム要素を互いに独立して前後動可能としているものも挙げられる。
【００１３】
なお、本発明において、「バネ部材がフレーム形状をなす」とは、バネ部材を、前記背フレームに沿う方向に延伸させて形成していること全般を含む概念である。
【発明の効果】
【００１４】
本発明に係る部材の接続構造を採用すれば、椅子の見た目を整えることができる。
【図面の簡単な説明】
【００１５】
【図１】本発明に関連する第一の参考例に係る椅子を正面側から見た斜視図。
【図２】同参考例に係る椅子を背面側から見た斜視図。
【図３】同参考例に係る椅子の側面図。
【図４】同参考例に係る椅子の背面図
【図５】同参考例に係る椅子の平面図。
【図６】同参考例に係る椅子のシンクロロッキング動作を示す側面図。
【図７】同参考例に係る椅子の上フレーム要素を後方に変位させた状態を示す側面図。
【図８】同参考例に係る椅子の背凭れ面変形動作を示す斜視図。
【図９】同参考例に係る椅子の背凭れ面変形動作を示す平面図。
【図１０】本発明の一実施形態に係る椅子の側面図。
【図１１】本発明の他の実施形態に係る椅子の側面図。
【図１２】本発明の他の実施形態に係る椅子の側面図。
【図１３】本発明の他の実施形態に係る椅子の側面図。
【図１４】本発明に関連する第二の参考例に係る椅子の側面図。
【発明を実施するための形態】
【００１６】
本発明は、後述する図１０ないし図１３に示すような椅子に用いられるが、これに先立ち、本発明に関連する第一の参考例として、より基礎的な構成を有する椅子Ｃを、図１ないし図９を参照して以下に説明する。
【００１７】
本参考例に係る椅子Ｃは、図１ないし図５に示すように、脚体４と、脚体４に支持させた基体２と、基体２上に配設した座３と、水平支軸１６を介して基体２に枢着した背凭れ１とを具備し、座３及び背凭れ１が連動して傾動するシンクロロッキング動作が可能なものである。
【００１８】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１９】
基体２は脚支柱４２の上端に固定してあって、脚支柱４２の突没操作を通じて座３及び背凭れ１の高さ位置を調節することができる。基体２には、水平支軸１６回りに回動する背凭れ１を前方へ付勢する弾性付勢機構（図示せず）、背凭れ１のロッキング角度を固定する固定機構（図示せず）等を内蔵している。弾性付勢機構は、コイルスプリングやガススプリングを実装して背フレーム１１を弾性付勢するものである。固定機構は、例えば背フレーム１１側に設けた複数段の凹の何れかに選択的に爪を係合させてロッキング角度を固定するものとするが、弾性付勢機構にプッシュロック式のガススプリングを使用している場合にはそのバルブを駆動してガススプリングの伸縮動作を禁止する態様をとり得る。
【００２０】
座３は、座受３１に座面を構成するクッション体３２を装着してなる。クッション体３２は、例えば合成繊維のダブルラッセルメッシュの上にウレタンクッション材を重ね合わせた二層構造をなし、下層のメッシュが衝撃を吸収しつつ適度な弾力性を担保し、上層のウレタンクッション材が姿形の安定性を保つ。座３の前端部は、基体２に対し前後方向にスライド移動可能に支持させており、座３の後端部は、下記背フレーム１１における下フレーム部１３にヒンジ（図示せず）を介して取着している。
【００２１】
背凭れ１は、背フレーム１１の前面に背凭れ面Ｓを構成する張り部材１２を張り設けたものである。背フレーム１１は、基体２に対し水平支軸１６回りに回動可能に連結している下フレーム部１３と、下フレーム部１３の上端にヒンジ１７を介して連結している上フレーム部１４と、上フレーム部１４を後方より支持する反力フレーム部１５とを備えている。
【００２２】
下フレーム部１３は、幅方向に離間させて配置した左右の下フレーム要素１３１ａ、１３１ｂ同士を、剛性横架材１３２を以て相互に連結してなる。下フレーム要素１３１ａ、１３１ｂ、剛性横架材１３２はともに、例えば金属製の剛体である。下フレーム要素１３１ａ、１３１ｂは、側面視水平支軸１６の位置する前端から後方に延伸し、後端で上方に屈曲した略Ｌ字型をなす。
【００２３】
上フレーム部１４は、幅方向に離間させて配置した左右の上フレーム要素１４１ａ、１４１ｂ同士を、弾性横架材１４２を以て相互に連結してなる。上フレーム要素１４１ａ、１４１ｂは例えば金属製の剛体であるが、弾性横架材１４２は例えば樹脂製の弾性体である。上フレーム要素１４１ａ、１４１ｂは、側面視ヒンジ１７の位置する下端から、幾分後方に凹むように緩やかに湾曲しつつ上方に延伸し、その上端近傍で再度前方に膨出する弓形をなす。
【００２４】
反力フレーム部１５は、上フレーム要素１４１ａ、１４１ｂの各々を支持する同数の反力フレーム要素１５１ａ、１５１ｂよりなる。
【００２５】
しかして本参考例では、反力フレーム要素１５１ａ、１５１ｂが、一端部及び他端部をそれぞれ前記第１の部材たる下フレーム要素１３１ａ、１３１ｂ、及び第２の部材たる上フレーム要素１４１ａ、１４１ｂに接続してなり弾性変形により反力を蓄積可能であるバネ部材であるとともに、この反力フレーム要素１５１ａ、１５１ｂを、前記上フレーム要素１４１ａ、１４１ｂ及び下フレーム要素１３１ａ、１３１ｂに沿って延伸するフレーム形状に形成している。
【００２６】
具体的には、反力フレーム要素１５１ａ、１５１ｂの一端部たる下端部１５２ａ、１５２ｂは下フレーム要素１３１ａ、１３１ｂの背面に連接し、他端部たる上端部１５３ａ、１５３ｂは上フレーム要素１４１ａ、１４１ｂの下向面に連接する。反力フレーム要素１５１ａ、１５１ｂは、例えば弾性横架材１３２と同質の樹脂製の弾性体とする。本参考例にあって、反力フレーム要素１５１ａ、１５１ｂは、側面視下フレーム要素１３１ａ、１３１ｂ及び上フレーム要素１４１ａ、１４１ｂに沿うように延伸して略Ｌ字型をなすフレーム形状の樹脂ばねであり、幅寸法はフレーム要素１３１ａ、１３１ｂ、１４１ａ、１４１ｂと同程度かそれよりもやや狭小、前後または上下の厚みはフレーム要素１３１ａ、１３１ｂ、１４１ａ、１４１ｂよりも薄く（付け加えれば、フレーム要素１３１ａ、１３１ｂ、１４１ａ、１４１ｂと接合する端部から遠ざかるにつれて徐々に薄く）なるように成形している。これにより、反力フレーム要素１５１ａ、１５１ｂがフレーム要素１３１ａ、１３１ｂ、１４１ａ、１４１ｂから枝分かれした、背フレーム１１の一部であるかのような外観が形作られる。
【００２７】
下フレーム要素１３１ａ、１３１ｂと上フレーム要素１４１ａ、１４１ｂとを互いに枢着するヒンジ１７の周辺、具体的には下フレーム要素１３１ａ、１３１ｂの後端から上端近傍にかけて及び上フレーム要素１４１ａ、１４１ｂの下端近傍の範囲で、側面視フレームの前面が前方に膨出するような湾曲形状をなしている。既に述べたように、上フレーム要素１４１ａ、１４１ｂの上端近傍においても、側面視フレームの前面が前方に膨出するような湾曲形状をなしている。しかして、上記の下フレーム要素１３１ａ、１３１ｂ及び上フレーム要素１４１ａ、１４１ｂの湾曲形状をなす部位に架け渡すように、張り部材１２を張り設けている。
【００２８】
張り部材１２は、伸縮性に富む張り地を主体とする。張り地は、例えば合成繊維のダブルラッセルメッシュにさらにエラストマ糸等の弾性糸を編み込んだもので、強度とクッション性とを両備している。張り地は、表裏で見え方（色彩、模様、光沢等）が異なる。張り地の上辺及び左右の側辺は、正面視三方枠状または四方枠状をなすバックアップ材（図示せず）で保形している。バックアップ材は、例えば樹脂製の薄板体で、特に張り地の左右の側辺が内側方に撓もうとすることを防ぎ、張り地を張った状態に保つ。張り部材１２の上端部は左右の上フレーム要素１４１ａ、１４１ｂに装着して支持させ、下端部は左右の下フレーム要素１３１ａ、１３１ｂに装着して支持させる。このとき、バックアップ材は板ばねの作用を営み、張り地を前方に押圧して張り出させる。
【００２９】
因みに、張り部材１２の背後、着座者の腰部に対応する高さ位置に、ランバーサポートベルト１８を架け渡しておくこともできる。着座者が身体を背凭れ面Ｓに凭せかけた場合にも、ランバーサポートベルト１８を架け渡している部位はランバーサポートベルト１８の長さに応じた深度以上には後方に沈み込まない。
【００３０】
本参考例の椅子は、座３及び背凭れ１が連動して傾動するシンクロロッキング動作が可能である。図６に示すように、シンクロロッキング動作では、背フレーム１１全体が水平支軸１６回りに回動することで背凭れ１が前後に傾動する。同時に、座３の後端部が背フレーム１１に連動して上下に揺動し、かつ座３の前端部が前後にスライドする。
【００３１】
その上で、本参考例の椅子は、着座者が着座したまま後ろを振り向いたり、手を伸ばしたり、身体をねじったりする動きに追随して、背凭れ面Ｓの上部の左半部のみ、または右半部のみを後方に変位させる動作が可能である。背凭れ面Ｓの上部を支持している上フレーム部１４は、左右に対をなす上フレーム要素１４１ａ、１４１ｂが互いに独立して前後動する。即ち、左側の上フレーム要素１４１ａは左側の下フレーム要素１３１ａにヒンジ１７を介して連結し、右側の上フレーム要素１４１ｂは右側の下フレーム要素１３１ｂにヒンジ１７を介して連結しており、これら上フレーム要素１４１ａ、１４１ｂが個別に回動し得る。
【００３２】
図７に示すように、上フレーム要素１４１ａ、１４１ｂをヒンジ１７回りに後傾させたとき、下フレーム要素１３１ａ、１３１ｂ及び上フレーム要素１４１ａ、１４１ｂの湾曲形状をなす部位に張り部材１２が接触する面積が徐々に増大するとともに、張り地が張力を増しつつ上下に伸長する。並びに、反力フレーム要素１５１ａ、１５１ｂがアングルを拡げるように変形して反力を蓄積し、上フレーム要素１４１ａ、１４１ｂを原位置に復帰させる方向、つまり前方に弾性付勢する。
【００３３】
そして、何れか一方の上フレーム要素１４１ａ（１４１ｂ）を他方の上フレーム要素１４１ｂ（１４１ａ）に対し相対的に前後方向に変位させれば、図８、図９に示すように、背凭れ面Ｓの形状を三次元的に変化させることができる。この動作において、下フレーム部１３は必ずしも駆動されない。また、左右に対をなす下フレーム要素１３１ａ、１３１ｂは剛性横架材１３２を介して剛体連結されているため、それら下フレーム要素１３１ａ、１３１ｂは常に一体的に運動する。故に、背凭れ面Ｓの下部、着座者の腰部より下方にあたる部分は、恒常的に一定の形状を維持する。
【００３４】
着座者の動きに伴い、上フレーム要素１４１ａ、１４１ｂの一方が他方に対し相対的に前後動すると、左右の上フレーム要素１４１ａ、１４１ｂ間の距離が増大する。その際、両上フレーム要素１４１ａ、１４１ｂの離間距離の増大に対応するべく、弾性横架材１４２が弾性変形する。本参考例の弾性横架材１４２は、上フレーム要素１４１ａ、１４１ｂの上端部同士を相互に連結しており、平面視後方に凹む湾曲形状をなす状態で組み付けてある。弾性横架材１４２の前後の厚みは、上フレーム要素１４１ａ、１４１ｂに連結している両端部から幅方向の中央に向かうにつれて徐々に薄くなっており、両端部よりも中間部の方が比較的変形し易くなっている。これは、上フレーム要素１４１ａ、１４１ｂと弾性横架材１４２との連結箇所に負荷が集中することを避けるためである。上フレーム要素１４１ａ、１４１ｂの一方が他方に対し相対的に前後動するとき、弾性横架材１４２は曲率を減少させるように変形して両端間の距離を伸張する。
【００３５】
加えて、背凭れ面Ｓが受けた着座者の荷重は、張り部材１２を介して上フレーム要素１４１ａ、１４１ｂに作用し、上フレーム要素１４１ａ、１４１ｂを内側方に倒れ込ませようとしてヒンジ１７に負荷をかける。このような負荷を打ち消し低減する目的で、弾性横架材１４２を、上フレーム要素１４１ａ、１４１ｂを幅方向に離反させるような初期弾性力を発揮する状態で組み付けている。
【００３６】
尤も、左右両側の上フレーム要素１４１ａ、１４１ｂをともに傾動させることもできる。その場合、例えば着座者の背を大きく反らせるようなストレッチが可能になる。
【００３７】
本参考例の構成によれば、幅方向に離間させて配置した複数のフレーム要素１４１ａ、１４１ｂにより背凭れ面Ｓの上部を支持させた背凭れ１を具備する椅子において、各フレーム要素１４１ａ、１４１ｂを互いに独立して前後動可能としたため、背凭れ面Ｓの上部の左半部のみ、または右半部のみを後方に変位させることが可能となる。そして、着座者が後ろを振り向く等の動きに追随して背凭れ面Ｓの形状を三次元的に変化させることができ、着座者の所作を徒に制限せずその身体を好適に支持し続ける良好な座り心地の椅子が実現される。
【００３８】
加えて、背凭れ面Ｓの上部を支持し、下端部１５２ａ、１５２ｂを下フレーム要素１３１ａ、１３１ｂの下面、上端部１５３ａ、１５３ｂを上フレーム要素１４１ａ、１４１ｂの背面に連接し弾性変形により反力を蓄積するフレーム状のバネ部材である反力フレーム要素１５１ａ、１５１ｂを設け、反力フレーム要素１５１ａ、１５１ｂによりフレーム要素１４１ａ、１４１ｂを後方より支持しているため、ヒンジ１７部分に巻きばね等を内装する必要がなく、ヒンジ１７部分を肥大化させずに済む。並びに、反力フレーム要素１５１ａ、１５１ｂを、下フレーム要素１３１ａ、１３１ｂ及び上フレーム要素１４１ａ、１４１ｂに沿って延伸する形状としているので、この反力フレーム要素１５１ａ、１５１ｂの外観を背フレーム１１の一部であるかのように見せかけることができ、反力フレーム要素１５１ａ、１５１ｂの存在に違和感を持たせない、ひいては家具としての美観、格調を保つことも可能となる。
【００３９】
背凭れ面Ｓの上部を支持する複数の上フレーム要素１４１ａ、１４１ｂの各々を、背凭れ面Ｓの下部を支持する下フレーム要素１３１ａ、１３１ｂを変位させることなく個別に前後方向に変位させ得るものとしており、着座者が後ろを振り向くような所作を行うときの自然な体位に的確にフィットして着座者に余計な負担をかけにくい。
【００４０】
前記上フレーム要素１４１ａ、１４１ｂを前記下フレーム要素１３１ａ、１３１ｂにそれぞれヒンジ１７を介して連結して、上フレーム要素１４１ａ、１４１ｂの一方を他方に対し相対的に後傾させ得るように構成しており、背凭れ面Ｓの全体を一体的に傾動させるロッキング動作と、背凭れ面Ｓの上部のみを傾動させる背凭れ面変形動作とを選択的に実行可能となっている。無論、ロッキング動作と背凭れ面変形動作とを同時に惹起することも可能であり、着座者が着座したままで様々な姿勢をとり得る。
【００４１】
背凭れ面Ｓの上部を支持するフレーム要素１４１ａ、１４１ｂが、背凭れ面Ｓを介して間接的に着座者の荷重を受けて幅方向に倒れようとすることに対しては、フレーム要素１４１ａ、１４１ｂ同士を弾性変形可能な横架材１４２を介して相互に連結することで対処している。
【００４２】
しかも、背凭れ面Ｓに荷重がかかりフレーム要素１４１ａ、１４１ｂが内側方に倒れ込もうとすることに対して、前記横架材１４２を、前記フレーム要素１４１ａ、１４１ｂを幅方向に離反させるような初期弾性力を発揮する状態で組み付けているため、フレーム要素１４１ａ、１４１ｂ及びヒンジ１７に加わる負荷を打ち消し低減することができる。
【００４３】
また、着座者の動きに伴い、フレーム要素１４１ａ、１４１ｂの一方が他方に対し相対変位してフレーム要素１４１ａ、１４１ｂ同士の離間距離が増大する。従って、前記横架材１４２を、平面視湾曲形状をなす状態で組み付け、前記フレーム要素１４１ａ、１４１ｂの一方が他方に対し相対的に前後動するに際して曲率を減少させるように変形するものとして、フレーム要素１４１ａ、１４１ｂ同士の離間距離の増大に対応できるようにしている。
【００４４】
複数のフレーム要素１４１ａ、１４１ｂの前面に弾性変形可能な張り部材１２を張り設けて背凭れ面Ｓを構成することにより、着座者の様々な動きに追随して変形し、身体の広範囲にフィットして、負担の少ない柔らかな座り心地を提供できる。
【００４５】
以下、本発明の一実施形態について図１０を参照して説明する。
【００４６】
本実施形態に係る椅子は、上述した第一の参考例に係る椅子Ｃの背フレーム１１に替えて、図１０に右側面図を示すように、幅方向に離間させて配置した左右の背フレーム要素１１０ａ、１１０ｂと、これら左右の背フレーム要素１１０ａ、１１０ｂの上端部を連結する弾性横架材（図示略）とを有する背フレーム１１０を備えている。その上で、本実施形態に係る椅子は、一端部及び他端部をそれぞれ第１及び第２の部材に接続してなり弾性変形により反力を蓄積可能であるとともに前記第１及び第２の部材に沿って延伸するフレーム形状をなすバネ部材たる左右１対に設けた反力フレーム要素Ａ１５１ａ、Ａ１５１ｂを具備する構成であって、第１の部材が椅子の座３及び背凭れ１を支持する基体２であるとともに、第２の部材が椅子の背凭れ１の高さ寸法全体にわたって延伸する左右の背フレーム要素１１０ａ、１１０ｂである構成を採用している。
【００４７】
ここで、前記左右の背フレーム要素１１０ａ、１１０ｂは、いずれも側面視水平支軸１６の位置する前端から後方に延伸し、後端で上方に屈曲した略Ｌ字型をなす。さらに、前記左右の背フレーム要素１１０ａ、１１０ｂは例えば金属製の剛体であり、弾性横架材は例えば樹脂製の弾性体である。
【００４８】
前記左右の反力フレーム要素Ａ１５１ａ、Ａ１５１ｂは、前記左右の背フレーム要素１１０ａ、１１０ｂの各々を支持し、樹脂製の弾性体を利用して形成しているとともに、これら左右の反力フレーム要素Ａ１５１ａ、Ａ１５１ｂを合わせて反力フレーム部Ａ１５を構成している。そして、これら左右の反力フレーム要素Ａ１５１ａ、Ａ１５１ｂは、上述したように下端部Ａ１５２ａ、Ａ１５２ｂを基体２の背面に連接しているとともに、上端部Ａ１５３ａ、Ａ１５３ｂを背フレーム要素１１０ａ、１１０ｂの背面に連接している。
【００４９】
そして、背フレーム要素１１０ａ、１１０ｂを水平支軸１６回りに後傾させたとき、反力フレーム要素Ａ１５１ａ、Ａ１５１ｂがアングルを拡げるように変形して反力を蓄積し、背フレーム要素１１０ａ、１１０ｂを原位置に復帰させる方向、つまり前方に弾性付勢する。
【００５０】
すなわち、このような構成を採用すれば、基体２に対して背凭れ１を大きく後傾させるにつれ前記反力フレーム部Ａ１５、具体的には反力フレーム要素Ａ１５１ａ、Ａ１５１ｂに大きな反力を蓄積させるようにできるので、背凭れ１を大きく後傾させるにつれ背凭れ１に作用する反力を大きくする効果を容易に得ることができる。
【００５１】
加えて、上述した第一の参考例に係る椅子はバネ部材の下端部を下フレーム要素に接続しているとともにバネ部材の上端部を上フレーム要素に接続しているが、本発明の他の実施形態として、図１１に右側面図を示すように、一端部、具体的には下端部Ｂ１５２ａ、Ｂ１５２ｂを下フレーム要素でなく第１の部材たる基体２に接続しているとともに、他端部、具体的には上端部Ｂ１５３ａ、Ｂ１５３ｂを第２の部材たる上フレーム要素１４１ａ、１４１ｂに接続してなり、弾性変形により反力を蓄積可能であるバネ部材であるとともに前記第１及び第２の部材に沿って延伸するフレーム形状の左右一対に設けた反力フレーム要素Ｂ１５１ａ、Ｂ１５１ｂを有する反力フレーム部Ｂ１５を具備する構成を採用したものが挙げられる。
【００５２】
また、本発明の他の実施形態として、図１２に右側面図を示すように、一端部、具体的には下端部Ｃ１５２ａ、Ｃ１５２ｂを下フレーム要素でなく第１の部材たる基体２に接続しているとともに、他端部、具体的には上端部Ｃ１５３ａ、Ｃ１５３ｂを上フレーム要素でなく第２の部材たる下フレーム要素１３１ａ、１３１ｂに接続してなり、弾性変形により反力を蓄積可能であるバネ部材であるとともに前記第１及び第２の部材に沿って延伸するフレーム形状の左右一対に設けた反力フレーム要素Ｃ１５１ａ、Ｃ１５１ｂを有する反力フレーム部Ｂ１５を具備する構成を採用したものも挙げられる。
【００５３】
これら図１１及び図１２に示したような構成を採用しても、基体２に対して背凭れ１を大きく後傾させるにつれ前記反力フレーム部Ｂ１５、Ｃ１５、具体的には反力フレーム要素Ｂ１５１ａ、Ｂ１５１ｂ、Ｃ１５１ａ、Ｃ１５１ｂに大きな反力を蓄積させるようにできるので、背凭れ１を大きく後傾させるにつれ背凭れ１に作用する反力を大きくする効果を容易に得ることができる。
【００５４】
さらに、図１３に右側面図を示すように、第１及び第２の反力フレーム部Ｄ１５、Ｅ１５を同時に設けてもよい。
【００５５】
この態様では、第１の反力フレーム部Ｄ１５は、上述した実施形態において述べたような反力フレーム部１５と略同様に、一端部、具体的には下端部Ｄ１５２ａ、Ｄ１５２ｂを第１の部材たる下フレーム要素１３１ａ、１３１ｂに接続しているとともに、他端部、具体的には上端部Ｄ１５３ａ、Ｄ１５３ｂを第２の部材たる上フレーム要素１４１ａ、１４１ｂに接続してなり、弾性変形により反力を蓄積可能であるバネ部材であるとともに前記下フレーム要素１３１ａ、１３１ｂ及び上フレーム要素１４１ａ、１４１ｂに沿って延伸するフレーム形状の左右一対に設けた第１の反力フレーム要素Ｄ１５１ａ、Ｄ１５１ｂを有する。
【００５６】
一方、第２の反力フレーム部Ｅ１５は、一端部、具体的には下端部Ｅ１５２ａ、Ｅ１５２ｂを第１の部材たる基体２に接続しているとともに、他端部、具体的には上端部Ｅ１５３ａ、Ｅ１５３ｂを第２の部材たる下フレーム要素１３１ａ、１３１ｂに接続してなり、弾性変形により反力を蓄積可能であるバネ部材であるとともに前記上フレーム要素１４１ａ、１４１ｂ及び基体２に沿って延伸するフレーム形状の左右一対に設けた第２の反力フレーム要素Ｅ１５１ａ、Ｅ１５１ｂを有する。なお、この態様では、第１の反力フレーム要素Ｄ１５１ａ、Ｄ１５１ｂの下方に第２の反力フレーム要素Ｅ１５１ａ、Ｅ１５１ｂを一体に連接しているが、これら第１の反力フレーム要素Ｄ１５１ａ、Ｄ１５１ｂ及び第２の反力フレーム要素Ｅ１５１ａ、Ｅ１５１ｂは別体に形成してももちろんよい。
【００５７】
この態様を採用すれば、上フレーム要素１４１ａ、１４１ｂをヒンジ１７回りに後傾させたとき、第１の反力フレーム要素Ｄ１５１ａ、Ｄ１５１ｂがアングルを拡げるように変形して反力を蓄積し、上フレーム要素１４１ａ、１４１ｂを原位置に復帰させる方向、つまり前方に弾性付勢する。また、下フレーム要素１３１ａ、１３１ｂを水平支軸１６回りに後傾させたとき、第２の反力フレーム要素Ｅ１５１ａ、Ｅ１５１ｂがアングルを拡げるように変形して反力を蓄積し、下フレーム要素１３１ａ、１３１ｂを原位置に復帰させる方向、つまり前方に弾性付勢する。従って、背中の上部を反らせた際及び背凭れ１全体を後傾させた際に、それぞれ後傾角度が大きくなるにつれ大きな反力を作用させることができる。加えて、第１及び第２の反力フレーム要素Ｄ１５１ａ、Ｄ１５１ｂ、Ｅ１５１ａ、Ｅ１５１ｂを、基体２、下フレーム要素１３１ａ、１３１ｂ及び上フレーム要素１４１ａ、１４１ｂに沿って延伸する形状とているので、これら第１及び第２の反力フレーム要素Ｄ１５１ａ、Ｄ１５１ｂ、Ｅ１５１ａ、Ｅ１５１ｂの外観を背フレーム１１の一部であるかのように見せかけることができ、これら第１及び第２の反力フレーム要素Ｄ１５１ａ、Ｄ１５１ｂ、Ｅ１５１ａ、Ｅ１５１ｂの存在に違和感を持たせない、ひいては家具としての美観、格調を保つことも可能となる。
【００５８】
【００５９】
【００６０】
ここで、本発明に関連する第二の参考例を以下に示す。この参考例の椅子は、図１４に右側面図を示すように、第１の部材たる下フレーム要素Ｇ１３１ａ、Ｇ１３１ｂと、第２の部材たる上フレーム要素Ｇ１４１ａ、Ｇ１４１ｂと、バネ部材たる反力フレーム要素Ｇ１５１ａ、Ｇ１５１ｂとを一体に形成している。具体的には、左右１対に設けた前記下フレーム要素Ｇ１３１ａ、Ｇ１３１ｂを少なくとも有する下フレーム部Ｇ１３と、左右１対に設けた前記上フレーム要素Ｇ１４１ａ、Ｇ１４１ｂを少なくとも有する上フレーム部Ｇ１４と、左右１対に設けた前記反力フレーム要素Ｇ１５１ａ、Ｇ１５１ｂからなる反力フレーム部Ｇ１５とを背フレーム部Ｇ１１に備えさせるとともに、この背フレーム部Ｇ１１の全体を一体に形成する態様が考えられる。この場合、下フレーム要素Ｇ１３１ａ、Ｇ１３１ｂ、上フレーム要素Ｇ１４１ａ、Ｇ１４１ｂ、及び反力フレーム要素Ｇ１５１ａ、Ｇ１５１ｂを、弾性を有する例えば金属製にするとともに、下フレーム要素Ｇ１３１ａ、Ｇ１３１ｂ及び上フレーム要素Ｇ１４１ａ、Ｇ１４１ｂをなす部位は厚さ寸法を大きくして剛性を備えさせ、反力フレーム要素Ｇ１５１ａ、Ｇ１５１ｂをなす部位は厚さ寸法を小さくして弾性変形しやすくする態様が考えられる。さらに具体的には、前記反力フレーム要素Ｇ１５１ａ、Ｇ１５１ｂの一端部たる下端部Ｇ１５２ａ、Ｇ１５２ｂが前記下フレーム要素Ｇ１３１ａ、Ｇ１３１ｂと接続しているとともに、前記反力フレーム要素Ｇ１５１ａ、Ｇ１５１ｂの他端部たる上端部Ｇ１５３ａ、Ｇ１５３ｂが前記上フレーム要素Ｇ１４１ａ、Ｇ１４１ｂと接続している形状に前記背フレームＧ１１を形成する態様が考えられる。もちろん、第１の部材とバネ部材とを一体に形成して第２の部材はこれらと別体に形成する態様や、第２の部材とバネ部材とを一体に形成して第１の部材はこれらと別体に形成する態様を採用してもよい。さらに、左右の背フレーム要素とこれら左右の背フレーム要素間を接続する横架材とを具備させる態様を採用してもよい。
なお、本発明は以上に述べた実施形態に限らない。例えば、上述した第二の参考例に係る椅子は第１の部材たる上フレーム要素、第２の部材たる下フレーム要素及びバネ部材を一体に形成しているが、本発明の他の実施形態として、第２の部材たる背フレームとバネ部材とを一体に形成して第１の部材たる基体はこれらと別体に形成する態様を採用したものが考えられる。
【００６１】
【００６２】
【００６３】
【００６４】
【００６５】
【００６６】
【００６７】
【００６８】
【００６９】
【００７０】
【００７１】
【００７２】
【００７３】
【００７４】
【００７５】
【００７６】
【００７７】
【００７８】
【００７９】
【００８０】
【００８１】
【００８２】
バネ部材の一端部を第１の部材、他端部を第２の部材に接続するとともに、第１の部材と第２の部材とを互いに相対移動可能にする他の態様として、図示はしないが、第１及び第２の部材に剛性を備えさせるとともに、これら第１及び第２の部材を枢着せず、少なくとも一方をバネ部材により支持させる態様を採用してもよい。
【００８３】
【００８４】
また、バネ部材は、樹脂製のものでなく、バネ鋼材を利用して形成したものであってもよい。さらに、バネ鋼材に樹脂等によりコーティングを施したものであってももちろんよい。
【００８５】
その他、本発明の趣旨を逸脱しない範囲で種々変形が可能である。
【符号の説明】
【００８６】
Ｃ…椅子
１…背凭れ
２…基体
１１、１１０…背フレーム
１３１ａ、１３１ｂ…下フレーム要素
１４１ａ、１４１ｂ…上フレーム要素
１１０ａ、１１０ｂ…背フレーム要素
１５１ａ、１５１ｂ…反力フレーム要素（バネ）
１５２ａ、１５２ｂ…下端部
１５３ａ、１５３ｂ…上端部
Ａ１５１ａ、Ａ１５１ｂ…反力フレーム要素（バネ）
Ａ１５２ａ、Ａ１５２ｂ…下端部
Ａ１５３ａ、Ａ１５３ｂ…上端部
Ｂ１５１ａ、Ｂ１５１ｂ…反力フレーム要素（バネ）
Ｂ１５２ａ、Ｂ１５２ｂ…下端部
Ｂ１５３ａ、Ｂ１５３ｂ…上端部
Ｃ１５１ａ、Ｃ１５１ｂ…反力フレーム要素（バネ）
Ｃ１５２ａ、Ｃ１５２ｂ…下端部
Ｃ１５３ａ、Ｃ１５３ｂ…上端部
Ｄ１５１ａ、Ｄ１５１ｂ…第１の反力フレーム要素（バネ）
Ｄ１５２ａ、Ｄ１５２ｂ…下端部
Ｄ１５３ａ、Ｄ１５３ｂ…上端部
Ｅ１５１ａ、Ｅ１５１ｂ…第２の反力フレーム要素（バネ）
Ｅ１５２ａ、Ｅ１５２ｂ…下端部
Ｅ１５３ａ、Ｅ１５３ｂ…上端部
Ｇ１５１ａ、Ｇ１５１ｂ…反力フレーム要素（バネ）
Ｇ１５２ａ、Ｇ１５２ｂ…下端部
Ｇ１５３ａ、Ｇ１５３ｂ…上端部
【図１】
0005211351.tif 000002
【図２】
0005211351.tif 000003
【図３】
0005211351.tif 000004
【図４】
0005211351.tif 000005
【図５】
0005211351.tif 000006
【図６】
0005211351.tif 000007
【図７】
0005211351.tif 000008
【図８】
0005211351.tif 000009
【図９】
0005211351.tif 000010
【図１０】
0005211351.tif 000011
【図１１】
0005211351.tif 000012
【図１２】
0005211351.tif 000013
【図１３】
0005211351.tif 000014
【図１４】
0005211351.tif 000015